(57)【要約】【課題】受信中の放送波を従来より高速に変更することができる放送波受信装置を提供すること。【解決手段】電子同調ラジオ受信機１０は、所定の周波数の電波に同調する電子同調ラジオ受信回路１２、１４と、電子同調ラジオ受信回路１２を使用して所定の放送波を受信するとともに電子同調ラジオ受信回路１４を使用して所定の条件を満たす放送波を検出する制御マイコン１９と、制御マイコン１９によって検出された放送波の周波数を記憶する記憶装置２０とを備え、制御マイコン１９は、記憶装置２０によって記憶された放送波の周波数に基づいて所定の放送波を変更する。【選択図】  図１
2004312081.tif 000002
【特許請求の範囲】
【請求項１】
所定の周波数の電波に同調する複数の同調回路と、前記複数の同調回路の１つを使用して所定の放送波を受信する放送波受信手段と、前記放送波受信手段によって使用される前記同調回路でない前記複数の同調回路のうち少なくとも１つを使用して所定の条件を満たす放送波を検出する放送波検出手段と、前記放送波検出手段によって検出された前記放送波の情報を記憶する情報記憶手段とを備え、
前記放送波受信手段は、前記情報記憶手段によって記憶された前記放送波の情報に基づいて前記所定の放送波を変更することを特徴とする放送波受信装置。
【請求項２】
前記放送波検出手段は、前記所定の条件を満たす放送波を検出するときにマルチパス妨害によるノイズの大きさを使用することを特徴とする請求項１に記載の放送波受信装置。
【請求項３】
前記放送波検出手段は、前記所定の条件を満たす放送波を検出するときに隣接妨害によるノイズの大きさを使用することを特徴とする請求項１に記載の放送波受信装置。
【請求項４】
車載用であることを特徴とする請求項１から請求項３までの何れかに記載の放送波受信装置。
【発明の詳細な説明】
【０００１】
【発明の属する技術分野】
本発明は、放送波を受信する放送波受信装置に関する。
【０００２】
【従来の技術】
従来、放送波を受信する放送波受信装置として、図４に示すような電子同調ラジオ受信機８０が知られている（例えば、特許文献１参照。）。
【０００３】
電子同調ラジオ受信機８０は、アンテナ８１と、アンテナ８１によって受信された電波のうちの所定の周波数の電波に同調するとともに同調した電波の信号を復調する電子同調ラジオ受信回路８２と、電子同調ラジオ受信回路８２によって復調された音声信号を増幅するアンプ８３と、アンプ８３によって増幅された音声信号を音声に変換するスピーカ８４と、電子同調ラジオ受信回路８２によって復調された音声信号をアンプ８３に入力しないように制御するミュート回路８５と、電子同調ラジオ受信回路８２及びミュート回路８５の動作を制御する制御マイコン８６とを備えており、所定の放送波を受信することができるとともに、以下に説明するように受信した電波の中から放送波を自動的に検出することによって受信中の放送波を変更することができる。
【０００４】
電子同調ラジオ受信機８０が周波数ｆ１の電波を受信しているときに例えば利用者によってシーク（自動検索）動作開始の指示があると、制御マイコン８６は、図５に示すように、電子同調ラジオ受信回路８２によって復調された音声信号をアンプ８３に入力しないようにミュート回路８５を用いて、スピーカ８４からの音声の出力を停止する（ステップＳ９１）。
【０００５】
次いで、制御マイコン８６は、周波数ｆ１に所定の周波数ｆ２を加算して周波数ｆ１を更新し（ステップＳ９２）、更新した周波数ｆ１の電波に電子同調ラジオ受信回路８２を同調させ（ステップＳ９３）、電子同調ラジオ受信回路８２によって同調した周波数ｆ１の電波の電界強度Ｖｆが予め設定された電界強度Ｖ以上であるか否かを判断する（ステップＳ９４）。
【０００６】
次いで、制御マイコン８６は、電界強度Ｖｆが電界強度Ｖ未満であるとステップＳ９４において判断すると、ステップＳ９２の処理を再び実行し、電界強度Ｖｆが電界強度Ｖ以上であるとステップＳ９４において判断すると、電子同調ラジオ受信回路８２によって同調した周波数ｆ１の電波に中間周波数の信号が有るか否かを判断する（ステップＳ９５）。
【０００７】
そして、制御マイコン８６は、中間周波数の信号が無いとステップＳ９５において判断すると、ステップＳ９２の処理を再び実行し、中間周波数の信号が有るとステップＳ９５において判断すると、ミュート回路８５の動作を解除して、電子同調ラジオ受信回路８２によって同調して復調した周波数ｆ１の放送波の音声信号をアンプ８３に入力させて、スピーカ８４に音声を出力させる（ステップＳ９６）。
【０００８】
【特許文献１】
特開平８−１８４０５号公報
【０００９】
【発明が解決しようとする課題】
しかしながら、上述した従来の放送波受信装置においては、受信中の放送波を変更する動作が開始した後、受信可能な放送波が電波の中から検出されるまで音声の出力が停止されるという問題が有った。
【００１０】
そこで、本発明は、受信中の放送波を従来より高速に変更することができる放送波受信装置を提供することを目的とする。
【００１１】
【課題を解決するための手段】
上述した課題を解決するために、本発明の放送波受信装置は、所定の周波数の電波に同調する複数の同調回路と、前記複数の同調回路の１つを使用して所定の放送波を受信する放送波受信手段と、前記放送波受信手段によって使用される前記同調回路でない前記複数の同調回路のうち少なくとも１つを使用して所定の条件を満たす放送波を検出する放送波検出手段と、前記放送波検出手段によって検出された前記放送波の情報を記憶する情報記憶手段とを備え、前記放送波受信手段は、前記情報記憶手段によって記憶された前記放送波の情報に基づいて前記所定の放送波を変更する構成を有している。
【００１２】
この構成により、本発明の放送波受信装置は、情報記憶手段によって記憶された放送波の情報に基づいて放送波受信手段によって受信する放送波を変更するので、放送波受信手段によって受信する放送波を変更するときに受信中の電波の中から放送波を自動的に検出する動作を省略することができ、受信中の放送波を従来より高速に変更することができる。
【００１３】
また、本発明の放送波受信装置は、前記放送波検出手段は、前記所定の条件を満たす放送波を検出するときにマルチパス妨害によるノイズの大きさを使用する構成を有している。
【００１４】
この構成により、本発明の放送波受信装置は、マルチパス妨害の影響が抑制された状態で検出された放送波を受信することができる。
【００１５】
また、本発明の放送波受信装置は、前記放送波検出手段は、前記所定の条件を満たす放送波を検出するときに隣接妨害によるノイズの大きさを使用する構成を有している。
【００１６】
この構成により、本発明の放送波受信装置は、隣接妨害の影響が抑制された状態で検出された放送波を受信することができる。
【００１７】
また、本発明の放送波受信装置は、車載用である構成を有している。
【００１８】
この構成により、本発明の放送波受信装置は、装置自身を搭載した車両の移動に起因して放送波の電界強度、マルチパス妨害によるノイズの大きさ、隣接妨害によるノイズの大きさ等の電波の状態が変化したとしても、電波の状態の変化に応じて受信中の放送波を変更することができる。
【００１９】
【発明の実施の形態】
以下、本発明の一実施の形態について、図面を用いて説明する。
【００２０】
まず、本実施の形態に係る放送波受信装置の構成について説明する。
【００２１】
図１に示すように、本実施の形態に係る放送波受信装置としての車載用の電子同調ラジオ受信機１０は、アンテナ１１と、アンテナ１１によって受信された電波のうちの所定の周波数の電波に同調する同調回路としての電子同調ラジオ受信回路１２と、アンテナ１３と、アンテナ１３によって受信された電波のうちの所定の周波数の電波に同調する同調回路としての電子同調ラジオ受信回路１４と、電子同調ラジオ受信回路１２が同調した電波の信号を復調する復調回路１５と、復調回路１５によって復調された音声信号を増幅するアンプ１６と、アンプ１６によって増幅された音声信号を音声に変換するスピーカ１７と、復調回路１５によって復調された音声信号をアンプ１６に入力しないように制御するミュート回路１８と、電子同調ラジオ受信回路１２、電子同調ラジオ受信回路１４及びミュート回路１８の動作を制御する制御マイコン１９と、放送波の情報を記憶する情報記憶手段としての記憶装置２０とを備えている。
【００２２】
また、電子同調ラジオ受信回路１２は、電子同調ラジオ受信回路１２自身によって同調した電波の電界強度Ｖｆを検出する電界強度検出部１２ａと、電子同調ラジオ受信回路１２自身によって同調した電波の中のマルチパス妨害によるノイズ（以下、マルチパスノイズという。）の大きさＶＭＰを検出するマルチパス妨害検出部１２ｂと、電子同調ラジオ受信回路１２自身によって同調した電波の中の隣接妨害によるノイズ（以下、隣接ノイズという。）の大きさＶＡＤＪを検出する隣接妨害検出部１２ｃと、電子同調ラジオ受信回路１２自身によって同調した電波の中の中間周波数の信号を検出する中間周波数信号検出部１２ｄとを有している。
【００２３】
また、電子同調ラジオ受信回路１４は、電子同調ラジオ受信回路１２と同様に、電界強度検出部１４ａ、マルチパス妨害検出部１４ｂ、隣接妨害検出部１４ｃ及び中間周波数信号検出部１４ｄを有している。
【００２４】
また、制御マイコン１９は、電界強度検出部１２ａ又は電界強度検出部１４ａによって検出された電界強度Ｖｆが予め設定された電界強度Ｖ１以上であるか否かを判断する電界強度判断部１９ａと、マルチパス妨害検出部１２ｂ又はマルチパス妨害検出部１４ｂによって検出されたマルチパスノイズの大きさＶＭＰが予め設定されたマルチパスノイズの大きさＶ２以下であるか否かを判断するマルチパス妨害判断部１９ｂと、隣接妨害検出部１２ｃ又は隣接妨害検出部１４ｃによって検出された隣接ノイズの大きさＶＡＤＪが予め設定された隣接ノイズの大きさＶ３以下であるか否かを判断する隣接妨害判断部１９ｃと、中間周波数信号検出部１２ｄ又は中間周波数信号検出部１４ｄによる検出結果に基づいて中間周波数の信号が有るか否かを判断する中間周波数信号判断部１９ｄとを有している。
【００２５】
ここで、制御マイコン１９は、電子同調ラジオ受信回路１２を使用して所定の放送波を受信するとともに、記憶装置２０によって記憶された放送波の情報に基づいて受信中の放送波を変更するようになっており、放送波受信手段を構成している。
【００２６】
また、制御マイコン１９は、電子同調ラジオ受信回路１４を使用して所定の条件を満たす放送波を検出するとともに、検出した放送波の情報を記憶装置２０に記憶させるようになっており、放送波検出手段を構成している。
【００２７】
また、制御マイコン１９は、記憶装置２０に周波数ｆ１を記憶させたときからの経過時間ｔ１を計測し、経過時間ｔ１が予め設定された時間ｔ２以下であるか否かを判断するようになっている。
【００２８】
次に、本実施の形態に係る放送波受信装置の動作について説明する。
【００２９】
まず、電子同調ラジオ受信機１０の電子同調ラジオ受信回路１４を使用した動作について説明する。
【００３０】
電子同調ラジオ受信機１０が起動すると、制御マイコン１９は、図２に示すように、周波数ｆ１に所定の周波数ｆ２を加算して周波数ｆ１を更新し（ステップＳ３１）、更新した周波数ｆ１の電波に電子同調ラジオ受信回路１４を同調させ（ステップＳ３２）、電子同調ラジオ受信回路１４によって同調した周波数ｆ１の電波の電界強度Ｖｆが電界強度Ｖ１以上であるか否かを電界強度判断部１９ａによって判断する（ステップＳ３３）。
【００３１】
次いで、制御マイコン１９は、電界強度Ｖｆが電界強度Ｖ１未満であるとステップＳ３３において判断すると、ステップＳ３１の処理を再び実行し、電界強度Ｖｆが電界強度Ｖ１以上であるとステップＳ３３において判断すると、電子同調ラジオ受信回路１４によって同調した周波数ｆ１の電波の中のマルチパスノイズの大きさＶＭＰがマルチパスノイズの大きさＶ２以下であるか否かをマルチパス妨害判断部１９ｂによって判断する（ステップＳ３４）。
【００３２】
制御マイコン１９は、マルチパスノイズの大きさＶＭＰがマルチパスノイズの大きさＶ２より大きいとステップＳ３４において判断すると、ステップＳ３１の処理を再び実行し、マルチパスノイズの大きさＶＭＰがマルチパスノイズの大きさＶ２以下であるとステップＳ３４において判断すると、電子同調ラジオ受信回路１４によって同調した周波数ｆ１の電波の中の隣接ノイズの大きさＶＡＤＪが隣接ノイズの大きさＶ３以下であるか否かを隣接妨害判断部１９ｃによって判断する（ステップＳ３５）。
【００３３】
制御マイコン１９は、隣接ノイズの大きさＶＡＤＪが隣接ノイズの大きさＶ３より大きいとステップＳ３５において判断すると、ステップＳ３１の処理を再び実行し、隣接ノイズの大きさＶＡＤＪが隣接ノイズの大きさＶ３以下であるとステップＳ３５において判断すると、電子同調ラジオ受信回路１４によって同調した周波数ｆ１の電波に中間周波数の信号が有るか否かを中間周波数信号判断部１９ｄによって判断する（ステップＳ３６）。
【００３４】
そして、制御マイコン１９は、中間周波数の信号が無いとステップＳ３６において判断すると、ステップＳ３１の処理を再び実行し、中間周波数の信号が有るとステップＳ３６において判断すると、現在の周波数ｆ１を放送波の情報として記憶装置２０に記憶させ、経過時間ｔ１の計測を開始する（ステップＳ３７）。
【００３５】
次に、電子同調ラジオ受信機１０の電子同調ラジオ受信回路１２を使用した動作について説明する。
【００３６】
電子同調ラジオ受信機１０が周波数ｆ３の電波を受信しているときに例えば利用者によって所定の指示があると、制御マイコン１９は、図３に示すように、電子同調ラジオ受信回路１２が同調している電波の音声信号をアンプ１６に入力しないようにミュート回路１８を用いて、スピーカ１７からの音声の出力を停止し（ステップＳ４１）、記憶装置２０に周波数ｆ１が記憶されているか否かを判断する（ステップＳ４２）。
【００３７】
次いで、制御マイコン１９は、記憶装置２０に周波数ｆ１が記憶されていないとステップＳ４２において判断すると、周波数ｆ３に所定の周波数ｆ４を加算して周波数ｆ３を更新し（ステップＳ４３）、記憶装置２０に周波数ｆ１が記憶されているとステップＳ４２において判断すると、記憶装置２０に周波数ｆ１を記憶させたときからの経過時間ｔ１が時間ｔ２以下であるか否かを判断する（ステップＳ４４）。
【００３８】
制御マイコン１９は、経過時間ｔ１が時間ｔ２より大きいとステップＳ４４において判断すると、周波数ｆ３に所定の周波数ｆ４を加算して周波数ｆ３を更新し（ステップＳ４３）、経過時間ｔ１が時間ｔ２以下であるとステップＳ４４において判断すると、記憶装置２０に記憶された周波数ｆ１の電波に電子同調ラジオ受信回路１２を同調させ（ステップＳ４５）、電子同調ラジオ受信回路１２によって同調した周波数ｆ１の電波の電界強度Ｖｆが電界強度Ｖ１以上であるか否かを判断する（ステップＳ４６）。
【００３９】
制御マイコン１９は、電界強度Ｖｆが電界強度Ｖ１未満であるとステップＳ４６において判断すると、周波数ｆ３に所定の周波数ｆ４を加算して周波数ｆ３を更新し（ステップＳ４３）、電界強度Ｖｆが電界強度Ｖ１以上であるとステップＳ４６において判断すると、ミュート回路１８の動作を解除して、電子同調ラジオ受信回路１２によって同調した周波数ｆ１の放送波の音声信号をアンプ１６に入力させて、スピーカ１７に音声を出力させる（ステップＳ４７）。
【００４０】
また、制御マイコン１９は、ステップＳ４３において周波数ｆ３を更新すると、更新した周波数ｆ３の電波に電子同調ラジオ受信回路１２を同調させ（ステップＳ４８）、電子同調ラジオ受信回路１２によって同調した周波数ｆ３の電波の電界強度Ｖｆが電界強度Ｖ１以上であるか否かを電界強度判断部１９ａによって判断する（ステップＳ４９）。
【００４１】
次いで、制御マイコン１９は、電界強度Ｖｆが電界強度Ｖ１未満であるとステップＳ４９において判断すると、ステップＳ４３の処理を再び実行し、電界強度Ｖｆが電界強度Ｖ１以上であるとステップＳ４９において判断すると、電子同調ラジオ受信回路１２によって同調した周波数ｆ３の電波の中のマルチパスノイズの大きさＶＭＰがマルチパスノイズの大きさＶ２以下であるか否かをマルチパス妨害判断部１９ｂによって判断する（ステップＳ５０）。
【００４２】
制御マイコン１９は、マルチパスノイズの大きさＶＭＰがマルチパスノイズの大きさＶ２より大きいとステップＳ５０において判断すると、ステップＳ４３の処理を再び実行し、マルチパスノイズの大きさＶＭＰがマルチパスノイズの大きさＶ２以下であるとステップＳ５０において判断すると、電子同調ラジオ受信回路１２によって同調した周波数ｆ３の電波の中の隣接ノイズの大きさＶＡＤＪが隣接ノイズの大きさＶ３以下であるか否かを隣接妨害判断部１９ｃによって判断する（ステップＳ５１）。
【００４３】
制御マイコン１９は、隣接ノイズの大きさＶＡＤＪが隣接ノイズの大きさＶ３より大きいとステップＳ５１において判断すると、ステップＳ４３の処理を再び実行し、隣接ノイズの大きさＶＡＤＪが隣接ノイズの大きさＶ３以下であるとステップＳ５１において判断すると、電子同調ラジオ受信回路１２によって同調した周波数ｆ３の電波に中間周波数の信号が有るか否かを中間周波数信号判断部１９ｄによって判断する（ステップＳ５２）。
【００４４】
そして、制御マイコン１９は、中間周波数の信号が無いとステップＳ５２において判断すると、ステップＳ４３の処理を再び実行し、中間周波数の信号が有るとステップＳ５２において判断すると、ミュート回路１８の動作を解除して、電子同調ラジオ受信回路１２によって同調した周波数ｆ３の放送波の音声信号をアンプ１６に入力させて、スピーカ１７に音声を出力させる（ステップＳ４７）。
【００４５】
以上に説明したように、電子同調ラジオ受信機１０は、記憶装置２０によって記憶された周波数ｆ１に基づいて制御マイコン１９によって受信する放送波を変更するので、制御マイコン１９によって受信する放送波を変更するときに受信中の電波の中から放送波を自動的に検出する動作を省略することができ、受信中の放送波を従来より高速に変更することができる。
【００４６】
また、電子同調ラジオ受信機１０は、電子同調ラジオ受信機１０自身を搭載した車両の移動に起因して放送波の電界強度、マルチパス妨害によるノイズの大きさ、隣接妨害によるノイズの大きさ等の電波の状態が変化したとしても、電波の状態の変化に応じて受信中の放送波を変更することができる。なお、電子同調ラジオ受信機１０は、本実施の形態において、車載用であるが、家庭用等、車載用以外の用途に使用されても良い。
【００４７】
また、電子同調ラジオ受信機１０は、本実施の形態において、マルチパス妨害によるノイズの大きさを使用して放送波を検出するので、マルチパス妨害の影響が抑制された状態で検出された放送波を受信することができるが、マルチパス妨害によるノイズの大きさを使用して放送波を検出するようになっていなくても良い。
【００４８】
また、電子同調ラジオ受信機１０は、本実施の形態において、隣接妨害によるノイズの大きさを使用して放送波を検出するので、隣接妨害の影響が抑制された状態で検出された放送波を受信することができるが、隣接妨害によるノイズの大きさを使用して放送波を検出するようになっていなくても良い。
【００４９】
また、電子同調ラジオ受信機１０は、記憶装置２０に周波数ｆ１が記憶されたときからの経過時間ｔ１が時間ｔ２以下であるか否かをステップＳ４４において判断するので、時間ｔ２より前に記憶装置２０に記憶された古い周波数ｆ１の放送波を受信することを防止することができ、時間ｔ２より前に記憶装置２０に記憶された古い周波数ｆ１の放送波を受信する場合と比較して放送波の受信品質を向上することができる。なお、電子同調ラジオ受信機１０は、時間ｔ２より前に記憶装置２０に記憶された古い周波数ｆ１の放送波を受信するようになっていても良い。
【００５０】
また、電子同調ラジオ受信機１０は、電子同調ラジオ受信回路１２によって同調した周波数ｆ１の電波の電界強度Ｖｆが電界強度Ｖ１以上であるか否かをステップＳ４６において判断するので、電界強度Ｖｆが電界強度Ｖ１未満の放送波を受信することを防止することができ、電界強度Ｖｆが電界強度Ｖ１未満の放送波を受信する場合と比較して放送波の受信品質を向上することができる。なお、電子同調ラジオ受信機１０は、電界強度Ｖｆが電界強度Ｖ１未満の放送波を受信するようになっていても良い。
【００５１】
また、電子同調ラジオ受信機１０は、本実施の形態において、２つの電子同調ラジオ受信回路１２、１４を備えているが、３つ以上の電子同調ラジオ受信回路を備えるようになっていても良い。
【００５２】
【発明の効果】
以上に説明したように、本発明によれば、受信中の放送波を従来より高速に変更することができる放送波受信装置を提供することができる。
【図面の簡単な説明】
【図１】本発明の一実施の形態に係る電子同調ラジオ受信機のブロック図
【図２】電子同調ラジオ受信回路の一方を使用した図１に示す電子同調ラジオ受信機の動作のフローチャート
【図３】電子同調ラジオ受信回路の他方を使用した図１に示す電子同調ラジオ受信機の動作のフローチャート
【図４】従来の電子同調ラジオ受信機のブロック図
【図５】図４に示す電子同調ラジオ受信機の動作のフローチャート
【符号の説明】
１０  電子同調ラジオ受信機（放送波受信装置）
１２  電子同調ラジオ受信回路（同調回路）
１４  電子同調ラジオ受信回路（同調回路）
１９  制御マイコン（放送波受信手段、放送波検出手段）
２０  記憶装置（情報記憶手段）
【図１】
2004312081.tif 000003
【図２】
2004312081.tif 000004
【図３】
2004312081.tif 000005
【図４】
2004312081.tif 000006
【図５】
2004312081.tif 000007